(57)【特許請求の範囲】
【請求項１】
表示対象となる各種のコンテンツを保持する情報保持部と、
前記コンテンツの表示手段における表示中コンテンツの情報に基づき、当該表示中コンテンツが本サイネージ端末の管理目的のものであるか判定し、当該表示中コンテンツが管理目的のものであった場合、所定時間経過後、前記各種のコンテンツのうち、前記管理目的のものでなく、予め指定された商品を食材として含むレシピ情報、または、本サイネージ端末周辺の商品の販促素材である広告コンテンツを、前記情報保持部から再生対象のコンテンツとして抽出し、当該コンテンツの表示に遷移させる、表示制御部と、
を備えるサイネージ端末。
【請求項２】
本サイネージ端末の操作権限モードを管理する権限管理部をさらに備え、
前記権限管理部は、前記遷移に際し、本サイネージ端末の操作対象者が管理者である管理者モードから、操作対象者がユーザであるユーザモードに変更するものである、
請求項１に記載のサイネージ端末。
【請求項３】
前記表示制御部は、
前記表示手段における表示中コンテンツが特定できない場合にも、前記遷移を行うものである、
請求項１または２に記載のサイネージ端末。
【請求項４】
サイネージ端末が、
表示対象となる各種のコンテンツを保持し、
前記コンテンツの表示手段における表示中コンテンツの情報に基づき、当該表示中コンテンツが本サイネージ端末の管理目的のものであるか判定し、当該表示中コンテンツが管理目的のものであった場合、所定時間経過後、前記各種のコンテンツのうち、前記管理目的のものでなく、予め指定された商品を食材として含むレシピ情報、または、本サイネージ端末周辺の商品の販促素材である広告コンテンツを、前記情報保持部から再生対象のコンテンツとして抽出し、当該コンテンツの表示に遷移させる処理を実行するサイネージ端末管理方法。
【請求項５】
サイネージ端末において、
表示対象となる各種のコンテンツを保持し、
前記コンテンツの表示手段における表示中コンテンツの情報に基づき、当該表示中コンテンツが本サイネージ端末の管理目的のものであるか判定し、当該表示中コンテンツが管理目的のものであった場合、所定時間経過後、前記各種のコンテンツのうち、前記管理目的のものでなく、予め指定された商品を食材として含むレシピ情報、または、本サイネージ端末周辺の商品の販促素材である広告コンテンツを、前記情報保持部から再生対象のコンテンツとして抽出し、当該コンテンツの表示に遷移させる処理、
を実行させるサイネージ端末管理プログラム。
【発明の詳細な説明】
【技術分野】
【０００１】
本開示は、サイネージ端末、サイネージ端末管理方法、及びサイネージ端末管理プログラムに関する。
【背景技術】
【０００２】
近年、調理のレシピ情報をインターネット等のネットワークを介してユーザに提供するサービスが増えている。また、そうしたレシピ情報に関して、調理機器などの他、スーパーマーケットなど各種施設に設置したサイネージ端末等の情報処理装置でコンテンツを出力する技術も存在する。
【０００３】
そうしたサイネージ端末は、例えば、店舗の売場を回りながらの食材の決定と、レシピ情報サイトでのレシピ閲覧・選定の両作業を行うユーザにとって、特段の操作をせずともレシピ動画を閲覧し、献立のヒントが得られるという意味で、大きな存在感が放つものとなっている。
【０００４】
なお、店舗等の端末でコンテンツを出力する際の従来技術としては、例えば、特許文献１には、商品広告を店舗内の表示装置に表示させるにあたり必要であった、広告データの作成や登録といった店員の負担を軽減することを目的とした、表示制御システムが開示されている。
【０００５】
この表示制御システムは、店舗で販売されている商品を撮像することにより商品画像を作成可能な情報端末と、前記情報端末において作成された前記商品画像を表示部に表示させる表示制御装置と、を備え、前記表示制御装置は、前記情報端末が商品を撮像して生成した前記商品画像を、前記情報端末で入力された、前記商品画像が示す商品の販売を促進するための販促情報とともに取得する画像取得部と、複数の前記商品画像を、前記複数の商品画像それぞれに対応する前記販促情報とともに、前記表示部に順次表示させる表示制御部と、を有している。
【０００６】
また他にも、特許文献２には、店舗に来店した顧客に対して、ディスプレイや液晶プロジェクタ等を用いて商品の販売促進を図ることを目的とした、販売支援システムが開示されている。
【０００７】
この販売支援システムは、複数の売り場において、それぞれその売り場で販売する所定の商品の、販売促進用の広告表示をする表示装置と、前記各売り場の表示装置に、全ての売り場の表示装置に表示する広告の共通部分と、売り場固有の広告の個別部分とを、それぞれ配信する手段を備える。
【先行技術文献】
【特許文献】
【０００８】
【特許文献１】特開２０１９−１９２１８５号公報
【特許文献２】特開２００４−１８４７５２号公報
【発明の概要】
【発明が解決しようとする課題】
【０００９】
上述の従来技術に関しては、例えば、献立検討や食材選びで忙しいユーザであっても、料理や食材のヒントを得ることが期待される。ところが、そうした端末で出力される内容は、単純にレシピ動画や食材情報のみに限られない。例えば、そうした端末にコンテンツを登録する操作や、或いはコンテンツ再生の制御設定を行う操作、などを店舗スタッフから受け付けるための管理画面も出力対象となりうる。
【００１０】
店舗の顧客たるユーザからすれば、管理画面は無意味であり、不用意に操作して誤動作を招くトリガーともなりうる画面である。勿論、店舗側からしても、店舗都合の情報や店舗独自の設定等が第三者に閲覧されてしまうリスクにつながる。
【００１１】
また、一人一人のユーザが端末の前で足を止めるタイミングは限られており、そうした貴重なタイミングに無意味な管理画面を表示させれば、ユーザにとっても店舗側にとっても得るものが無い状態となる。ユーザの満足度を低下させる可能性すらある。
【００１２】
そこで本開示は、上述した事情に鑑みてなされたもので、店舗等の端末における、ユーザにとって無用な情報表示を回避し、有用な情報の効率的な表示制御を可能とする、サイネージ端末、サイネージ端末管理方法、及びサイネージ端末管理プログラムを提供することを目的とする。
【課題を解決するための手段】
【００１３】
上記の課題を解決するために、本開示のサイネージ端末は、表示対象となる各種のコンテンツを保持する情報保持部と、前記コンテンツの表示手段における表示中コンテンツの情報に基づき、当該表示中コンテンツが本サイネージ端末の管理目的のものであるか判定し、当該表示中コンテンツが管理目的のものであった場合、所定時間経過後、前記各種のコンテンツのうち、前記管理目的のものでなく、商品ないしサービスの情報を含むコンテンツの表示に遷移させる、表示制御部と、を備える。
【００１４】
また、本開示のサイネージ端末管理方法は、サイネージ端末が、表示対象となる各種のコンテンツを保持し、前記コンテンツの表示手段における表示中コンテンツの情報に基づき、当該表示中コンテンツが本サイネージ端末の管理目的のものであるか判定し、当該表示中コンテンツが管理目的のものであった場合、所定時間経過後、前記各種のコンテンツのうち、前記管理目的のものでなく、商品ないしサービスの情報を含むコンテンツの表示に遷移させる処理を実行する。
【００１５】
また、本開示のサイネージ端末管理プログラムは、サイネージ端末において、表示対象となる各種のコンテンツを保持し、前記コンテンツの表示手段における表示中コンテンツの情報に基づき、当該表示中コンテンツが本サイネージ端末の管理目的のものであるか判定し、当該表示中コンテンツが管理目的のものであった場合、所定時間経過後、前記各種のコンテンツのうち、前記管理目的のものでなく、商品ないしサービスの情報を含むコンテンツの表示に遷移させる処理、を実行させるものである。
【発明の効果】
【００１６】
本開示のサイネージ端末、サイネージ端末管理方法、及びサイネージ端末管理プログラムによれば、店舗等の端末における、ユーザにとって無用な情報表示を回避し、有用な情報の効率的な表示制御が可能となる。
【図面の簡単な説明】
【００１７】
【図１】本発明の実施形態に係る情報処理システムの概要を示す構成図である。
【図２】本発明の実施形態に係るサイネージ端末の構成を示すブロック図である。
【図３】本発明の実施形態に係るコンテンツＤＢの構成例を示す図である。
【図４】本発明の実施形態に係るサイネージ端末管理方法のフロー例を示す図である。
【図５】本発明の実施形態に係る画面例を示す図である。
【図６】本発明の実施形態に係る画面例を示す図である。
【図７】本発明の実施形態に係る画面例を示す図である。
【図８】本発明の実施形態に係るコンピュータの構成を示す概略ブロック図である。
【発明を実施するための形態】
【００１８】
以下、本実施形態について説明する。なお、以下に説明する本実施形態は、特許請求の範囲に記載された本開示の内容を不当に限定するものではない。また本実施形態で説明される構成の全てが、本開示の必須構成要件であるとは限らない。
【００１９】
＜構成＞
図１は、本発明の実施形態に係る情報処理システム１０の概要を示す構成図である。情報処理システム１０は、サイネージ端末１００とコンテンツサーバ２００を含んで構成される。本実施形態におけるサイネージ端末１００は、実装例の１つとして、店舗などの施設に設置される動画再生用端末を具体例として想定できる。
【００２０】
サイネージ端末１００と、コンテンツサーバ２００とは、有線又は無線のネットワークＮＷを介して通信可能に接続される。ネットワークＮＷは、その一部にインターネット、公衆無線ネットワークなどの広域ネットワークを含んで構成されてもよいし、構内ネットワーク（ＬＡＮ：Local Area Network）を含んで構成されてもよい。
【００２１】
サイネージ端末１００は、上記したとおり動画再生用端末を想定するが、より具体的には、少なくとも動画コンテンツを再生出力可能であるタブレット端末のほか、携帯機器やＰＣ（パーソナルコンピューター）、調理機器、ＰＤＡ、スマートウォッチ、ヘッドマウントディスプレイ等の装置も想定しうる。
【００２２】
なお、サイネージ端末１００は、例えば、食材などの商品を販売するスーパーマーケット等の店舗のほか、生鮮宅配ボックス、自動販売機、などにも設置しうる。このうち生鮮宅配ボックスは、例えば、レシピサイトの運用事業者が運用するもので、ユーザが専用アプリなどで購入した食材の受け取り設備となるものである。勿論、こうしたサイネージ端末１００の設置場所、設置対象で販売される商材は、食材のみに限定しない。
【００２３】
一方、コンテンツサーバ２００は、例えば、レシピサイトで配信するレシピ情報や、当該レシピ情報が含む食材の紹介コンテンツを管理し、これらを設定に応じて又は一定時間ごとにサイネージ端末１００に配信するサーバ装置である。
【００２４】
コンテンツサーバ２００が管理するレシピ情報は、レシピサイトにおいてユーザから投稿された膨大なレシピ情報である。また、食材の紹介コンテンツは、サイネージ端末１００の設置先となる店舗等の施設で販売される商品すなわち食材の広告コンテンツとなる。
【００２５】
サイネージ端末１００は、上述の施設における担当者の指示や事前設定に応じて、コンテンツサーバ２００から取得したレシピ情報や当該レシピ情報に関連する広告コンテンツを、適宜な記憶装置に格納・保持する。
【００２６】
ここで、レシピ情報は、調理方法を表し、例えば、レシピ名（料理名称）、調理工程、食材、調理器具等の各種情報が含まれている。このレシピ情報は、動画形式ないし静止画形式で構成されている。また、広告コンテンツは、上述のレシピ情報に含まれる食材であって、サイネージ端末１００の設置先である施設での販売商品の販促目的で制作された広告動画である。
【００２７】
コンテンツサーバ２００は、サイネージ端末１００からの要求に基づいて、レシピ情報の一部又は全部と、そのレシピ情報が示す食材の広告コンテンツを、サイネージ端末１００へ配信する。
【００２８】
一方、サイネージ端末１００は、コンテンツサーバ２００から配信されたレシピ情報や広告コンテンツを受信し、これを情報保持部１１０で管理する。またサイネージ端末１００は、レシピ情報や広告コンテンツを、ディスプレイ等の表示手段で再生し、本発明のサイネージ端末管理方法による表示制御の対象とすることとなる。
【００２９】
上述のサイネージ端末１００は、上述のようにコンテンツサーバ２００から得たレシピ情報や広告コンテンツの他にも、本サイネージ端末１００の管理画面も表示する。この管理画面は、本サイネージ端末１００において広告コンテンツを登録する操作や、或いはレシピ情報や広告コンテンツの再生制御設定を行う操作、などを店舗スタッフから受け付けるための画面である。
【００３０】
店舗の顧客たるユーザからすれば、こうした管理画面は無意味であり、不用意に操作して誤動作を招くトリガーともなりうる画面である。一方、店舗側からしては、必要な画面ではあるものの、店舗都合の情報や店舗独自の設定等が第三者に閲覧されてしまうリスクにつながりうる画面でもある。
【００３１】
そこでサイネージ端末１００は、そうした管理画面が、サイネージ端末１００の前で限られた機会、限られた時間を過ごすユーザに対して表示されることを回避し、レシピ情報や広告コンテンツなど有意な情報を効率的に再生する制御を可能とする。このような制御が行われることとなれば、顧客であるユーザにとっても店舗側にとっても得るものがあり、ひいてはユーザの満足度や店舗の販売効率向上が期待できることとなる。
【００３２】
こうしたサイネージ端末１００は、図２で例示するように、情報保持部１１０、表示制御部１２０、権限管理部１３０、及び通信部１４０から構成される。
【００３３】
このうち情報保持部１１０は、コンテンツＤＢ１１１を記憶する。コンテンツＤＢ１１１は、図３で例示するように、サイネージ端末１００での表示制御対象となる、レシピ情報、広告コンテンツ、及び管理画面の各データを、それぞれのコンテンツ種類を示す識別情報（レシピ情報、広告コンテンツ、及び管理画面のいずれであるかを示すＩＤ）が紐付いた形で格納したデータベースとなっている。
【００３４】
このコンテンツＤＢ１１１で保持する情報のうち、レシピ情報は、料理を作るための情報である、ジャンル、タイトル、及び料理内容の各情報を含んで制作された動画データである。このうち料理内容としては、食材と使用機材、調理動作といった各種情報を調理工程ごとに撮影したものとなっており、料理の完成時あるいは調理途中の映像も適宜含むものとできる。
【００３５】
また、広告コンテンツは、上述のレシピ情報に含まれる食材であって、店舗等の施設すなわちサイネージ端末１００の設置場所で販売される商品の販売促進目的の動画となる。こうした広告コンテンツは、例えば、レシピサイトの運用事業者が予め制作し、コンテンツサーバ２００に格納しておくものとする。
【００３６】
この広告コンテンツは、図３のコンテンツＤＢ１１１で例示するように、広告対象、再生対象の店舗、広告内容、及び当該広告コンテンツのファイル、といった情報を含む。
【００３７】
また、管理画面は、既に述べたとおり、本サイネージ端末１００において広告コンテンツを登録する操作や、或いはレシピ情報や広告コンテンツの再生制御設定を行う操作、などを店舗スタッフから受け付けるための画面である。
【００３８】
この管理画面は、図３のコンテンツＤＢ１１１で例示するように、管理対象の手順、画面構成情報（インターフェイスやアイコンの情報）、制御コマンド（インターフェイスやアイコンの表示／非表示や操作可否の制御コマンド）、及び、当該管理画面データのファイル、といった情報を含む。
【００３９】
また、表示制御部１２０は、上述のレシピ情報や広告コンテンツ、或いは管理画面を表示するディスプレイ（表示手段）における表示中コンテンツの情報を取得し、その情報に基づき、当該表示中コンテンツが管理画面であるか判定する。ここで取得する情報としては、例えば、レシピ情報、広告コンテンツ、及び管理画面が予め保持する識別情報を想定できる。また、この識別情報は、レシピ情報、広告コンテンツ、及び管理画面の区別を示すＩＤであって、予め当該コンテンツ等に付与されているものとする。
【００４０】
また、表示制御部１２０は、上述の判定の結果、表示中コンテンツが管理画面であった場合、その時点から一定時間が経過した後、情報保持部１１０で管理する各種のコンテンツのうち、レシピ情報ないし広告コンテンツの表示に遷移させる。こうした画面遷移の制御自体は、従来から存在する表示制御技術を適宜に採用すればよい。
【００４１】
なお、表示制御部１２０は、上述のような表示制御に加えて、ディスプレイにおける表示中コンテンツが特定できない場合、すなわち、レシピ情報、広告コンテンツ、及び管理画面が予め保持するいずれの識別情報も取得できなかった場合、何も再生されていない状態と認識し、レシピ情報ないし広告コンテンツの再生を実行する。
【００４２】
また、権限管理部１３０は、サイネージ端末１００の操作権限モードを管理するものであり、表示制御部１２０による上述の遷移に際し、サイネージ端末１００の操作対象者が管理者である管理者モードから、操作対象者がユーザであるユーザモードに変更する。
【００４３】
そうしたモード変更は、例えば、サイネージ端末１００におけるディスプレイの操作可能なインターフェイスやアイコン等を変更する、或いは、情報の表示内容や表示位置を変更する、といった制御に対応する。
【００４４】
したがって権限管理部１３０は、予め、ディスプレイにおける、インターフェイスやアイコン、情報の表示領域、表示位置、の各情報と、その制御コマンドを保持しているものとする。権限管理部１３０は、例えば、管理者モードにおいて表示されている／操作可能な所定のアイコンに関して、その制御コマンドを実行することで、非表示とするか又はグレイアウトさせて操作不可とし、ユーザモードに変更する。
【００４５】
また、通信部１４０は、ネットワークＮＷを介してコンテンツサーバ２００と通信を行う通信インターフェイスである。通信部１４０は、コンテンツサーバ２００から配信されるレシピ情報や広告コンテンツを受信する。なお、管理画面のデータは、コンテンツサーバ２００がサイネージ端末１００に配信するのではなく、サイネージ端末１００が予め自身で保持する形態を想定できる。
【００４６】
＜処理の流れ＞
次に、本開示の実施形態に係るサイネージ端末１００の動作について、図４に示すフローチャートを参照しながら説明する。図４のフローチャートは、主としてサイネージ端末１００における動作を示している。
【００４７】
ステップＳ１０１において、サイネージ端末１００の表示制御部１２０は、例えば、予め定めた時刻の到来をもって、或いは、管理者やユーザからの指示をインターフェイスで受け付けて、情報保持部１１０がコンテンツＤＢ１１１で保持する情報のうち、レシピ情報、広告コンテンツ、及び管理画面のいずれかを、ディスプレイ（表示手段）で再生・表示する（図５の画面Ｇ５００参照）。
【００４８】
この場合、表示制御部１２０は、コンテンツＤＢ１１１のレシピ情報または広告コンテンツを再生するにあたり、例えば、サイネージ端末１００の設置施設の管理者等から予め指定された商品を食材として含むレシピ情報、当該商品の販促素材である広告コンテンツ、を抽出し、ディスプレイで再生する形態を想定できる。
【００４９】
或いは、サイネージ端末１００が、その設置領域付近で陳列された商品の識別情報を、当該商品に付帯するＩＣタグから読み取り、表示制御部１２０は、当該識別情報が紐付く食材を使用するレシピ情報や、その広告コンテンツをコンテンツＤＢ１１１で特定し、ディスプレイで再生するとしてもよい。その場合、サイネージ端末１００は、上述のＩＣタグのリーダーユニットを当然備えており、それによる識別情報の読取り処理も実行可能であるとする。
【００５０】
ステップＳ１０２において、サイネージ端末１００の表示制御部１２０は、ディスプレイにおける表示中コンテンツの情報として、当該表示中コンテンツの識別情報を取得し、その情報がレシピ情報、広告コンテンツ、及び管理画面のいずれに該当するか判定する。この識別情報は、レシピ情報、広告コンテンツ、及び管理画面の区別を示すＩＤであって、予め当該コンテンツ等に付与されているものとする。
【００５１】
なお、上述の判定は、例えば、予め定めた時刻の到来をもって、或いは、管理者やユーザからの指示をインターフェイスで受け付けて、実行するものとする。
【００５２】
ステップＳ１０３において、サイネージ端末１００の表示制御部１２０は、上述の判定の結果、表示中コンテンツが管理画面（図６の画面Ｇ６００参照）であった場合（Ｓ１０３：管理画面）、ステップＳ１０４において、この判定から一定時間が経過した後、ディスプレイで表示するコンテンツを、情報保持部１１０で管理する各種のコンテンツのうち、レシピ情報ないし広告コンテンツの表示に遷移させる。
【００５３】
一方、上述の判定の結果、表示中コンテンツがレシピ情報または広告コンテンツであった場合（Ｓ１０３：管理画面以外）、処理をＳ１０２に戻す。
【００５４】
他方、上述の判定の結果、表示中コンテンツが特定できない場合、すなわち、レシピ情報、広告コンテンツ、及び管理画面が予め保持するいずれの識別情報も取得できなかった場合（Ｓ１０３：無表示）、ステップＳ１０５において、サイネージ端末１００の表示制御部１２０は、ディスプレイにて現在何も再生されていない状態（図７の画面Ｇ７００参照）と認識する。
【００５５】
ステップＳ１０６において、表示制御部１２０は、例えば、サイネージ端末１００の設置施設の管理者等から予め指定された商品を食材として含むレシピ情報、当該商品の販促素材である広告コンテンツ、をコンテンツＤＢ１１１から抽出し、ディスプレイで再生する。
【００５６】
或いは、サイネージ端末１００が、その設置領域付近で陳列された商品の識別情報を、当該商品に付帯するＩＣタグから読み取り、表示制御部１２０は、当該識別情報が紐付く食材を使用するレシピ情報や、その広告コンテンツをコンテンツＤＢ１１１で特定し、ディスプレイで再生するとしてもよい。その場合、サイネージ端末１００は、上述のＩＣタグのリーダーユニットを当然備えており、それによる識別情報の読取り処理も実行可能であるとする。
【００５７】
なお、サイネージ端末１００の権限管理部１３０は、表示制御部１２０による、ステップＳ１０３の判定に伴う画面遷移やコンテンツ再生に際し、本サイネージ端末１００の操作対象者が管理者である管理者モードから、操作対象者がユーザであるユーザモードに変更する。
【００５８】
そうしたモード変更は、例えば、サイネージ端末１００におけるディスプレイの操作可能なインターフェイスやアイコン等を変更する、或いは、情報の表示内容や表示位置を変更する、といった制御に対応する。
【００５９】
したがって権限管理部１３０は、予め、ディスプレイにおける、インターフェイスやアイコン、情報の表示領域、表示位置、の各情報と、その制御コマンドを保持しているものとする。権限管理部１３０は、例えば、管理者モードにおいて表示されている／操作可能な所定のアイコンに関して、その制御コマンドを実行することで、非表示とするか又はグレイアウトさせて操作不可とし、ユーザモードに変更する。
【００６０】
こうした権限管理部１３０におけるモード変更により、管理画面において操作可能であったアイコン等をユーザには操作させない、といった制御が可能となり、単純に再生コンテンツを変更して画面遷移させるのみならず、ユーザによる不必要な操作、誤った操作の契機を与えない状況を確保可能となる。
【００６１】
（サイネージ端末管理プログラム）
図８は、コンピュータ８０１の構成を示す概略ブロック図である。コンピュータ８０１は、ＣＰＵ８０２、主記憶装置８０３、補助記憶装置８０４、インターフェイス８０５を備える。
【００６２】
ここで、実施形態に係るサイネージ端末１００を構成する各機能を実現するためのサイネージ端末管理プログラムの詳細について説明する。
【００６３】
サイネージ端末１００は、コンピュータ８０１に実装される。そして、サイネージ端末１００の各構成要素の動作は、プログラムの形式で補助記憶装置８０４に記憶されている。ＣＰＵ８０２は、サイネージ端末管理プログラムを補助記憶装置８０４から読み出して主記憶装置８０３に展開し、当該サイネージ端末管理プログラムに従って上記処理を実行する。また、ＣＰＵ８０２は、サイネージ端末管理プログラムに従って、上述した記憶部に対応する記憶領域を主記憶装置８０３に確保する。
【００６４】
当該サイネージ端末管理プログラムは、具体的には、コンピュータ８０１において、表示対象となる各種のコンテンツを保持し、前記コンテンツの表示手段における表示中コンテンツの情報に基づき、当該表示中コンテンツが本サイネージ端末の管理目的のものであるか判定し、当該表示中コンテンツが管理目的のものであった場合、所定時間経過後、前記各種のコンテンツのうち、前記管理目的のものでなく、商品ないしサービスの情報を含むコンテンツの表示に遷移させる処理、を実行させるプログラムである。
【００６５】
なお、補助記憶装置８０４は、一時的でない有形の媒体の一例である。一時的でない有形の媒体の他の例としては、インターフェイス８０５を介して接続される磁気ディスク、光磁気ディスク、ＣＤ−ＲＯＭ、ＤＶＤ−ＲＯＭ、半導体メモリ等が挙げられる。また、このサイネージ端末管理プログラムがネットワークＮＷを介してコンピュータ８０１に配信される場合、配信を受けたコンピュータ８０１が当該サイネージ端末管理プログラムを主記憶装置８０３に展開し、上記処理を実行してもよい。
【００６６】
また、当該サイネージ端末管理プログラムは、前述した機能の一部を実現するためのものであってもよい。さらに、当該サイネージ端末管理プログラムは、前述した機能を補助記憶装置８０４に既に記憶されている他のプログラムとの組み合わせで実現するもの、いわゆる差分ファイル（差分プログラム）であってもよい。
【００６７】
以上、本開示のいくつかの実施形態を説明したが、これら実施形態は、その他の様々な形態で実施されることが可能であり、発明の要旨を逸脱しない範囲で種々の省略、置き換え、変更を行うことができる。これら実施形態やその変形は、発明の範囲や要旨に含まれると同様に、特許請求の範囲に記載された発明とその均等の範囲に含まれるものとする。
【符号の説明】
【００６８】
１０    情報処理システム
１００  サイネージ端末
１１０  情報保持部
１１１  コンテンツＤＢ
１２０  表示制御部
１３０  権限管理部
１４０  通信部
２００  コンテンツサーバ
８０１  コンピュータ
８０２  ＣＰＵ
８０３  主記憶装置
８０４  補助記憶装置
８０５  インターフェイス
【要約】
【課題】店舗等の端末における、ユーザにとって無用な情報表示を回避し、有用な情報の効率的な表示制御を可能とする。
【解決手段】サイネージ端末１００において、表示対象となる各種のコンテンツを保持する情報保持部１１０と、前記コンテンツの表示手段における表示中コンテンツの情報に基づき、当該表示中コンテンツが本サイネージ端末の管理目的のものであるか判定し、当該表示中コンテンツが管理目的のものであった場合、所定時間経過後、前記各種のコンテンツのうち、前記管理目的のものでなく、商品ないしサービスの情報を含むコンテンツの表示に遷移させる、表示制御部１２０を備える構成とする。
【選択図】図１【図１】
0006899948.tif 000002
【図２】
0006899948.tif 000003
【図３】
0006899948.tif 000004
【図４】
0006899948.tif 000005
【図５】
0006899948.tif 000006
【図６】
0006899948.tif 000007
【図７】
0006899948.tif 000008
【図８】
0006899948.tif 000009